(57)【要約】【課題】流通時にはカップ容器を保護し、内容物の賞味時には、加熱され熱くなったカップでも手で持てるように、ホルダーとして使用することのできるカップ容器用スリーブを提供する。更には、別添物を保持することのできるカップ容器用スリーブを提供する。【解決手段】カップ容器１６を嵌め込み、カップ容器のフランジ部を下から保持する開口部付きの天面板２と、天面板の対向する一対の端部に延設された第一側面板１、第二側面板３と、底面板４を有する筒状のカップ容器用スリーブであって、底面板を取り去ることによってホルダーとする。更には、底面板の一端が、第二側面板に連設され、他端に第一外側側面板５と、外側天面板６と、第二外側側面板７がこの順に連設され、外側天面板に、別添物１７を保持する保持片１５が設けられ、天面板にカップ容器の上に被せ、保持片に保持された別添物に接する床面板１１が設けられている。【選択図】図４
2014231371.tif 000002
【特許請求の範囲】
【請求項１】
カップ容器を嵌め込み、該カップ容器のフランジ部を下から保持する開口部付きの天面板と、該天面板の対向する一対の端部に延設された第一側面板、第二側面板と、底面板を有する筒状のカップ容器用スリーブであって、前記底面板を取り去ることによって、前記カップ容器を保持し、手で持つためのホルダーとすることができることを特徴とするカップ容器用スリーブ。
【請求項２】
前記底面板の一端が、第二側面板に連設され、他端に第一外側側面板と、外側天面板と、第二外側側面板がこの順に連設され、第一側面板、天面板、第二側面板の外側に重なるように設けられていることを特徴とする請求項1に記載のカップ容器用スリーブ。
【請求項３】
前記外側天面板の前記第一外側側面板、第二外側側面板が連設されていない端部に、前記外側天面板の下側に折り返すことによって前記カップ容器以外の別添物を保持する、保持片が設けられていることを特徴とする請求項２に記載のカップ容器用スリーブ。
【請求項４】
前記天面板の前記側面板を設けていない端部に、折り返して前記カップ容器の上に被せ、前記保持片に保持された前記別添物に接する、床面板が設けられていることを特徴とする請求項３に記載のカップ容器用スリーブ。
【発明の詳細な説明】
【技術分野】
【０００１】
本発明は、カップ容器用スリーブに関するものである。
【背景技術】
【０００２】
物品を筒状に包み込むスリーブは、カップ容器や紙箱などの外装として古くより用いられてきた。そして、スリーブに美装性の高い印刷などの装飾を施し、全体として高級なイメージの包装容器としたものがあった。
【０００３】
特にプラスチック製などのカップ容器では、カップ容器自体に美装性の高い印刷を施すことは、容易ではないので、高級品イメージを出すために紙製のスリーブに印刷を施して用いられることがあった。
【０００４】
また、カップ容器入りの商品には電子レンジで加熱して食する食品があり、カップ容器用スリーブに入れたまま電子レンジで加熱して、取り出すときにスリーブを持つことによって、熱くなく容易に取り出すことのできるカップ容器用スリーブもある。更に別添物を同梱できるようにしたものもある。
【０００５】
例えば、収容物を配した容器本体の上面を蓋材で閉じてなる椀状容器に縦巻き状にして取り付けるスリーブ型カートンであって、椀状容器の底部を保持する座部と、この座部に一端を連接して椀状容器の上方を跨いで他端が座部に係脱可能に設けられているカバー部とを備え、座部は、椀状容器の底部が相対する底板と、椀状容器の容器本体を保持する開口を備えた保持板との上下二段の板材からなり、底板と保持板との間隔を維持する支持手段が設けられているスリーブ型カートンがある（特許文献１）。
【０００６】
そして、このスリーブ型カートンは、椀状容器に縦巻き状にして取り付け、椀状容器とともに電子レンジ庫内に配して電子レンジマイクロ波の照射対象とすることができる。また、カバー部に物品（別添物）保持手段を備えることもできる。
【０００７】
このスリーブ型カートンでは、電子レンジで加熱して庫内から取り出すときに、熱くなく容易に取り出すことができるが、そのまま持って食する場合、うっかり、椀状容器の底部を、スリーブ型カートンの底板を介して指で支えてしまうと、椀状容器が保持板より持ち上がって傾き、収納物をこぼしてしまう恐れがある。
【０００８】
公知文献を以下に示す。
【先行技術文献】
【特許文献】
【０００９】
【特許文献１】特開２００４−２５６１７０号公報
【発明の概要】
【発明が解決しようとする課題】
【００１０】
本発明は、上記課題を解決するものであって、流通時にはカップ容器を保護し、内容物の賞味時には、加熱され熱くなったカップでも手で持てるように、ホルダーとして使用することのできるカップ容器用スリーブを提供するものである。更には、カップ容器以外の別添物を保持することのできるカップ容器用スリーブを提供するものである。
【課題を解決するための手段】
【００１１】
本発明は係る課題に鑑みなされたものであり、請求項１の発明は、カップ容器を嵌め込み、該カップ容器のフランジ部を下から保持する開口部付きの天面板と、該天面板の対向する一対の端部に延設された第一側面板、第二側面板と、底面板を有する筒状のカップ容器用スリーブであって、前記底面板を取り去ることによって、前記カップ容器を保持し、手で持つためのホルダーとすることができることを特徴とするカップ容器用スリーブである。
【００１２】
本発明のスリーブは、以上のような構成であって、流通時にはカップ容器を保護し、賞味時には、底面板を取り去り、開口部にカップ容器を嵌め込み、フランジ部を保持した状態で、天面板の両端に延設された第一側面板、第二側面板を手で持って、ホルダーとして用いれば、加熱され熱くなったカップでも手で持て、内容物を食することができ、内容物をこぼす恐れも無い。
【００１３】
本発明の請求項２の発明は、前記底面板の一端が、第二側面板に連設され、他端に第一外側側面板と、外側天面板と、第二外側側面板がこの順に連設され、第一側面板、天面板、第二側面板の外側に重なるように設けられていることを特徴とする請求項1に記載のカップ容器用スリーブである。
【００１４】
本発明はさらに、底面板に第一外側側面板と、外側天面板と、第二外側側面板がこの順に連設されているので、外側天面板でカップ容器のフランジ部や蓋材を覆って、保護することができる。
【００１５】
本発明の請求項３の発明は、前記外側天面板の前記第一外側側面板、第二外側側面板が連設されていない端部に、前記外側天面板の下側に折り返すことによって前記カップ容器以外の別添物を保持する、保持片が設けられていることを特徴とする請求項２に記載のカップ容器用スリーブである。
【００１６】
本発明はまた、別添物を保持する保持片が設けられているので、別添物が流通の過程などで、カップ容器用スリーブから外れて、落ちてしまうことが無い。
【００１７】
本発明の請求項４の発明は、前記天面板の前記側面板を設けていない端部に、折り返して前記カップ容器の上に被せ、前記保持片に保持された前記別添物に接する、床面板が設けられていることを特徴とする請求項３に記載のカップ容器用スリーブである。
【００１８】
本発明は更にまた、カップ容器の上に被せ、保持片に保持された別添物に接する床面板が設けられているので、流通過程などで、別添物が振動によって、別添物やカップ容器が磨耗され、損傷を受けることがない。
【発明の効果】
【００１９】
本発明のカップ容器用スリーブは、流通時にはカップ容器を保護し、内容物の賞味時には、加熱され熱くなったカップでも手で持てるように、ホルダーとして使用することができる。更には、カップ容器以外の別添物を保持し、保護することができる。
【図面の簡単な説明】
【００２０】
【図１】本発明のカップ容器用スリーブの一例の展開図である。
【図２】本発明のカップ容器用スリーブの一例でカップ容器と別添物を包装し始めた状態を模式的に平面で示した説明図である。
【図３】本発明のカップ容器用スリーブの一例でカップ容器と別添物を包装する途中の状態を模式的に平面で示した説明図である。
【図４】本発明のカップ容器用スリーブの一例でカップ容器と別添物を包装した状態を模式的に平面で示した説明図である。（ａ）平面図、（ｂ）（ａ）のＸ−Ｘ断面図である。
【図５】本発明のカップ容器用スリーブの一例をホルダーとして用いる状態を模式的に示した説明図である。
【発明を実施するための形態】
【００２１】
以下本発明を実施するための形態につき説明する。
本発明のスリーブは、厚手の紙などを打ち抜き、折罫や切込みを設けたブランクからなる。
【００２２】
使用する紙としては、坪量２００〜５００ｇ／ｍ２のバージン紙、カード紙、カップ原紙、コートボール紙などの板紙が使用できる。また、紙にポリエチレンなどの樹脂層を積層したラミネート加工紙を用いても良い。
【００２３】
図１は、本発明のカップ容器用スリーブの一例の展開図である。
図で、一点鎖線は押罫による折罫を表す。
【００２４】
本例のカップ容器用スリーブ１００は、図１のように、図の上から順に、第一側面板１、天面板２、第二側面板３、底面板４、第一外側側面板５、外側天面板６、第二外側側面板７と、係止片８が、それぞれ折罫などを介して連設されている。
【００２５】
第一側面板１と第二側面板３には、中間部にそれぞれ、ホルダーとして使用するときに、カップ側に屈曲するように、折罫が設けられている。これによって、第一側面板１と第二側面板３を手で持つときに安定してカップを押えることができるようになっている。
【００２６】
天面板２には、開口部９が設けられていて、この開口部９にカップ容器を嵌め込み、カップのフランジ部を支えるようになっている。また、開口部９は、上から入れたカップ容器のフランジ部の一端を下に差し込んで、カップ容器が滑り落ちないようにする引掛け部１０が、開口部９の略円形の一部にくぼみ形状として設けられている。
【００２７】
また、天面板２には、第一側面板１や第二側面板３を設けていない端部に床面板１１が、折罫を介して設けられている。この折罫は、引掛け部１０の端部と略同一直線上に乗るように設けられている。
【００２８】
そして、床面板１１の先端側は、円形になっていて、前記折罫で折り返すと、カップカップ容器のフランジ部に掛かるようになっている。また、床面板１１には、天面板２に寄ったほうに、破線状の切れ込みによる切取り線１２が設けられて、手で切り取れるようになっている。
【００２９】
第二側面板３と底面板４の間には、切り離して取り去れるように、破線状の切れ込みによる切離し線１３が設けられ、切離し線１３の中央部には、係止片８を差し込んで係止するための切り込みによる係止切込み１４が設けられている。切離し線１３と係止切込み１４によって、底面板４を第二側面板３から切離すことができる。また、カップ容器用スリーブとして用いているときには、ここが折罫の代わりになる。
【００３０】
外側天面板６の第一外側側面板５と第二外側側面板７が設けられていない、対抗する一対の端部には、別添物を固定して保持するコの字状の保持片１５、１５が、それぞれ折罫を介して設けられている。
【００３１】
外側天面板６には、また、台形状の折罫が、保持片１５、１５側から台形の上辺が向かい合うように設けられていて、別添物を入れたときに、変形して盛り上がりやすくしてい
る。
【００３２】
本例のカップ容器用スリーブでカップ容器と別添物を包装する方法について、以下、説明する。
【００３３】
図２は、本発明のカップ容器用スリーブの一例でカップ容器と別添物を包装し始めた状態を模式的に平面で示した説明図である。
図３は、本発明のカップ容器用スリーブの一例でカップ容器と別添物を包装する途中の状態を模式的に平面で示した説明図である。
図４は、本発明のカップ容器用スリーブの一例でカップ容器と別添物を包装した状態を模式的に平面で示した説明図である。（ａ）平面図、（ｂ）（ａ）のＸ−Ｘ断面図である。
【００３４】
本例でカップ容器用スリーブ１００に包装するカップ容器１６は、プラスチックで成形されたフランジ部を有するカップに、内容物が充填され、フィルム状の蓋材がフランジ部にシールされているカップ容器である。
【００３５】
また、別添物１７は、カップの内容物とともに賞味される別添品が、成形され収納部を設けたボトム材に入れられ、真空下で、トップ材でシール密封された深絞り包装体である。
【００３６】
本例のカップ容器用スリーブ１００で、カップ容器１６とそれに添付する別添物１７を包装するには、先ず、第一側面板１、天面板２、第二側面板３、底面板４のそれぞれの間の折罫を折って、筒状にする。
【００３７】
次に、図２のように、カップ容器１６を天面板２の開口部９に底から入れ、フランジ部を天面板２に乗せ、フランジ部の一端をフランジ部９の引掛け部１０の下に入れて押える。また、別添物１７を、そのトップ材面を外側天面板６に接するように置く。
【００３８】
そして、保持片１５、１５を折り返して、別添物１７を保持させる。保持片１５はコの字型をしていて、別添品を押えることなく、別添物１７のシール部分を押えるようになっている。
【００３９】
次に、図３のように、床面板１１を折罫より折って、カップ容器１６のフランジ部を上から蓋材を介して押えるようにする。そして、底面板４、第一外側側面板５、外側天面板６、第二外側側面板７のそれぞれの間の折罫を折って、第一外側側面板５、外側天面板６、第二外側側面板７を、それぞれ、第一側面板１、天面板２、第二側面板３に重なるようにする。
【００４０】
最後に、第二外側側面板７と係止片８の間の折罫を折って、係止片８を係止切込み１４に差し込んで係止する。これにより、図４（ａ）、（ｂ）のように、本例のカップ容器用スリーブ１００にカップ容器１６と別添物１７が包装される。
【００４１】
このように包装されているので、流通時などに、包装したカップ容器、特にフランジ部や蓋材を保護することができる。また、別添物が流通の過程などで、カップ容器用スリーブから外れて、落ちてしまうことがない。更に、床面板が設けられているので、流通過程などで、別添物が振動によって磨耗され、損傷を受けることがない。
【００４２】
次に、本例のカップ容器用スリーブ１００で包装されたカップ容器１６と別添物１７を賞味するときの方法の一例について説明する。
【００４３】
先ず、係止片８を係止切込み１４から抜いて、包装を解き、別添物１７を取り出す。そして、切離し線１３を切り、また、切取り線１２も切り、第一側面板１、天面板２、第二側面板３がカップホルダーとして、図５のように、カップ容器１６に付いたままにする。
【００４４】
カップ容器１６から蓋材を剥がす。別添物１７から別添物を取り出し、カップ容器１６のカップの中に入れる。このカップを、第一側面板１、天面板２、第二側面板３からなるカップホルダーが付いたまま電子レンジにいれて、マイクロ波を照射して、内容物を加熱する。
【００４５】
加熱後、カップも熱くなっているので、カップホルダーの第一側面板１と第二側面板３を挟むように持って取り出し、中の内容物及び別添品を賞味する。このように第一側面板１、天面板２、第二側面板３をホルダーとして用いることによって、加熱され熱くなったカップでも手で持つことができ、賞味することができる。
【符号の説明】
【００４６】
１００・・・カップ容器用スリーブ
１・・・第一側面板
２・・・天面板
３・・・第二側面板
４・・・底面板
５・・・第一外側側面板
６・・・外側天面板
７・・・第二外側側面板
８・・・係止片
９・・・開口部
１０・・・引掛け部
１１・・・床面板
１２・・・切取り線
１３・・・切離し線
１４・・・係止切込み
１５、１５・・・保持片
１６・・・カップ容器
１７・・・別添物
【図１】
2014231371.tif 000003
【図２】
2014231371.tif 000004
【図３】
2014231371.tif 000005
【図４】
2014231371.tif 000006
【図５】
2014231371.tif 000007